(57)【要約】【課題】ネジによる締結を行うことなく簡単に組立てることができるケースを提供する。【解決手段】部品の収容スペースの一方の面を形成する第１主面部２９、この第１主面部２９の縁部を前記収容スペース側に折曲して形成された第１折曲部３０、この第１折曲部３０の先端部を第１折曲部３０の外面側に折返して形成された第１折返し部３１を有する第１ケース部材２８と、前記収容スペースの他方の面を形成する第２主面部３４、この第２主面部３４の縁部を前記収容スペース側に折曲して形成された第２折曲部３５、この第２折曲部３５の先端部を第２折曲部３５の内面側に折返して形成された第２折返し部３６を有する第２ケース部材３３とを備え、第１ケース部材２８と第２ケース部材３３とを、第１折曲部３０及び第１折返し部３１の外側に第２折曲部３５を嵌合し、第１折返し部３１の先端面と第２折返し部３６の先端面とを突合わせて組合わせる。【選択図】図２
2011017856.tif 000002
【特許請求の範囲】
【請求項１】
部品を収容するケースであって、
前記部品の収容スペースの一方の面を形成する第１主面部と、前記第１主面部の縁部を前記収容スペース側に折曲して形成された第１折曲部と、前記第１折曲部の先端部を前記第１折曲部の外面側に前記第１主面部の方向に向けて折返して形成された第１折返し部とを有する第１ケース部材と、
前記収容スペースの他方の面を形成する第２主面部と、前記第２主面部の縁部を前記収容スペース側に折曲して形成された第２折曲部と、前記第２折曲部の先端部を前記第２折曲部の内面側に前記第２主面部の方向に向けて折返して形成された第２折返し部とを有する第２ケース部材と、からなり、
前記第１ケース部材と前記第２ケース部材とが、前記第１折曲部及び前記第１折返し部の外側に前記第２折曲部を嵌合し、前記第１折返し部の先端面と前記第２折返し部の先端面とを突合わせて組合わされることを特徴とするケース。
【請求項２】
前記第２ケース部材の第２折曲部は、この第２折曲部から折返された前記第２折返し部の基部を前記第１ケース部材の第１折曲部から折返された前記第１折返し部の基部に当接させて、前記第２ケース部材と前記第１ケース部材とを前記第２主面部と前記第１主面部とを互いに近づけるように押付けることにより、前記第１折曲部をその先端に向かって内面方向に傾くように弾性変形させるか又は前記第２折曲部をその先端に向かって外面方向に傾くように弾性変形させて前記第２ケース部材の前記第２折曲部を前記第１折曲部及び前記第１折返し部の外側に嵌合して、前記第２折返し部の先端が前記第１折返し部の先端を通り越したときに前記第１折曲部及び前記第２折曲部が弾性復帰して前記第１折返し部の先端面と前記第２折返し部の先端面とが突合わされることを特徴とする請求項１に記載のケース。
【請求項３】
前記第１ケース部材の第１主面部と前記第２ケース部材の第２主面部との間に、前記収容スペースに配置される部品を支持する枠部材が配置され、前記第１主面部及び前記第２主面部は、それぞれの縁部近くの部分を前記枠部材により内面側から支持され、前記第１折返し部の先端面と前記第２折返し部の先端面は、前記第１主面部と前記第２主面部の少なくとも一方の前記枠部材に支持された部分よりも外側の縁部を前記第２折返し部の先端が前記第１折返し部の先端を通り越すまで弾性変形させることにより突合わされ、前記主面部の弾性復帰力によって前記突合わせ状態に保持されることを特徴とする請求項２に記載のケース。
【請求項４】
前記第１ケース部材の第１折曲部及び前記第２ケース部材の第２折曲部はそれぞれ、前記第１主面部の縁部及び前記第２主面部の縁部を略直角に折曲して形成され、前記第１折返し部及び前記第２折返し部はそれぞれ、前記第１折曲部の先端部及び第２折曲部の先端部を前記第１折曲部及び第２折曲部と略平行に折返して形成されていることを特徴とする請求項１〜３の何れか一つに記載のケース。
【請求項５】
前記第１ケース部材の第１折返し部は、前記第１折曲部の高さよりも小さい高さに形成され、前記第２ケース部材の第２折返し部は、前記第２折曲部の高さよりも小さい高さに形成されていることを特徴とする請求項１〜４の何れか一つに記載のケース。
【請求項６】
前記第１ケース部材の第１折返し部は、前記第２ケース部材の第２主面部の内面と前記第２折返し部の先端面との間に入り込む高さに形成されていることを特徴とする請求項１〜５の何れか一つに記載のケース。
【請求項７】
前記第１ケース部材の第１主面部と前記第２ケース部材の第２主面部はそれぞれ四角形状に形成され、前記第１ケース部材の第１折曲部及び第１折返し部と、前記第２ケース部材の第２折曲部及び第２折返し部は、前記第１主面部及び前記第２主面部の各縁部のうちの少なくとも前記主面部を挟んで対向する二つの縁部に対応させて形成されていることを特徴とする請求項１〜６の何れか一つに記載のケース。
【請求項８】
前記第１ケース部材の第１折曲部と前記第２ケース部材の第２折曲部はそれぞれ、前記第１主面部及び前記第２主面部の少なくとも前記二つの縁部の略全長にわたって形成され、前記第１折返し部と前記第２折返し部は、前記第１折曲部及び前記第２折曲部の長手方向に沿わせて形成されていることを特徴とする請求項７に記載のケース。
【請求項９】
前記第１ケース部材の第１折曲部と前記第２ケース部材の第２折曲部は、略同じ高さに形成されており、前記第１ケース部材と前記第２ケース部材は、前記第１ケース部材の第１主面部の側縁部と前記第２ケース部材の第２主面部の側縁部との間に、前記第１折曲部の前記第１折返し部の先端よりも前記第１主面部側の部分と前記第２折曲部の先端側の部分及び前記第２折返し部とからなる三枚板構造の領域と、前記第１折曲部の先端側の部分及び前記第１折返し部と前記第２折曲部の前記第２折返し部の先端よりも前記第２主面部側の部分とからなる三枚板構造の領域とを有する側面部を形成して組合わされることを特徴とする請求項１〜８の何れか一つに記載のケース。
【請求項１０】
前記第２ケース部材の第２折曲部は、前記第１ケース部材の第１折曲部の高さよりも大きい高さに形成されており、前記第１ケース部材と前記第２ケース部材は、前記第２折曲部の先端側及び前記第２折返し部の基部側の部分を前記第１ケース部材の第１主面部の外面方向に突出させ、前記第１主面部の側縁部と前記第２ケース部材の第２主面部の側縁部との間に、前記第１折曲部及び前記第１折返し部と前記第２折曲部の前記第２折返し部よりも前記第２主面部側の部分とからなる三枚板構造の側面部を形成して組合わされることを特徴とする請求項１〜８の何れか一つに記載のケース。
【請求項１１】
前記第１ケース部材の第１主面部の外面側に第２収容スペースを形成するための第３ケース部材をさらに備え、
前記第３ケース部材は、前記第２収容スペースの前記第１ケース部材側とは反対側の面を形成する第３主面部と、前記第３主面部の縁部を前記第２収容スペース側に折曲して形成された第３折曲部と、前記第３折曲部の先端部を前記第３折曲部の内面側に前記第３主面部の方向に向けて折返して形成された第３折返し部とを有し、
前記第２ケース部材は、前記第２折曲部の先端部を前記第２折曲部の外面側に前記第２主面部の方向に向けて折返して形成された逆折返し部を有しており、
前記第２ケース部材と前記第３ケース部材とが、前記第２折曲部及び前記逆折返し部の外側に前記第３折曲部を嵌合し、前記逆折返し部の先端面と前記第３折返し部の先端面とを突合わせて組合わされることを特徴とする請求項１〜８の何れか一つに記載のケース。
【請求項１２】
前記第３ケース部材の第３折曲部は、この第３折曲部から折返された前記第３折返し部の基部を前記第２ケース部材の第２折曲部から折返された前記逆折返し部の基部に当接させて、前記第３ケース部材と前記第２ケース部材とを前記第３主面部と前記第２主面部とを互いに近づけるように押付けることにより、前記第２折曲部をその先端に向かって内面方向に傾くように弾性変形させるか又は前記第３折曲部をその先端に向かって外面方向に傾くように弾性変形させて前記第３ケース部材の前記第３折曲部を前記第２折曲部及び前記逆折返し部の外側に嵌合して、前記第３折返し部の先端が前記逆折返し部の先端を通り越したときに前記第２折曲部及び前記第３折曲部が弾性復帰して前記逆折返し部の先端面と前記第３折返し部の先端面とが突合わされることを特徴とする請求項１１に記載のケース。
【請求項１３】
前記第３のケース部材は、その第３主面部の縁部近くの部分を、前記第２収容スペースに収容された部品を介して前記第１ケース部材の第１主面部に支持され、前記逆折返し部の先端面と前記第３折返し部の先端面は、前記第３主面部の前記部品に支持された部分よりも外側の縁部を前記第３折返し部の先端が前記逆折返し部の先端を通り越すまで弾性変形させることにより突合わされ、前記第３主面部の弾性復帰力によって前記突合わせ状態に保持されることを特徴とする請求項１２に記載のケース。
【請求項１４】
前記第２ケース部材の逆折返し部は、前記第２折曲部の高さよりも小さい高さに形成され、前記第３ケース部材の第３折返し部は、前記第３折曲部の高さよりも小さい高さに形成されていることを特徴とする請求項１１〜１３の何れか一つに記載のケース。
【請求項１５】
前記第２ケース部材の逆折返し部は、前記第３ケース部材の第３主面部の内面と前記第３折返し部の先端面との間に入り込む高さに形成されていることを特徴とする請求項１１〜１４の何れか一つに記載のケース。
【請求項１６】
前記第１ケース部材の第１折曲部は、前記第２ケース部材の第２折曲部の高さよりも小さい高さに形成され、前記第３ケース部材の第３折曲部は、前記第２ケース部材の第２折曲部の高さと略同じ高さに形成されており、前記第１ケース部材と前記第２ケース部材と前記第３ケース部材は、前記第１ケース部材の第１主面部の側縁部と前記第３ケース部材の第３主面部の側縁部との間に、前記第１折曲部の先端側の部分及び前記第１折返し部と前記第２折曲部の前記第２折返し部及び前記逆折返し部の先端よりも前記第２主面部側の部分と前記第３折曲部の先端側の部分及び前記第３折返し部とからなる五枚板構造の領域と、前記第２折曲部の先端側の部分及び前記第２折返し部または前記逆折返し部と前記第３折曲部の前記第３折返し部の先端よりも前記第３主面部側の部分とからなる三枚板構造の領域とを有する側面部を形成して組合わされることを特徴とする請求項１１〜１５の何れか一つに記載のケース。
【請求項１７】
光の透過を制御して画像を表示する液晶表示パネルと、前記液晶表示パネルの背後に配置され、前記液晶表示パネルに向けて照明光を照射する面光源と、前記液晶表示パネルと前記面光源とを収容するケースとを備えた表示装置において、
前記ケースは、
前記液晶表示パネルと前記面光源の収容スペースの一方の面を形成する第１主面部と、前記第１主面部の縁部を前記収容スペース側に折曲して形成された第１折曲部と、前記第１折曲部の先端部を前記第１折曲部の外面側に前記第１主面部の方向に向けて折返して形成された第１折返し部とを有する第１ケース部材と、
前記収容スペースの他方の面を形成する第２主面部と、前記第２主面部の縁部を前記収容スペース側に折曲して形成された第２折曲部と、前記第２折曲部の先端部を前記第２折曲部の内面側に前記第２主面部の方向に向けて折返して形成された第２折返し部とを有する第２ケース部材と、
前記第１ケース部材の第１主面部と前記第２ケース部材の第２主面部との何れか一方に設けられた表示用開口と、からなり、
前記第１ケース部材の第１主面部と前記第２ケース部材の第２主面部との間に、前記液晶表示パネルと面光源が、前記液晶表示パネルの画面エリアを前記表示用開口に対向させて配置され、
前記第１ケース部材と前記第２ケース部材とが、前記第１折曲部及び前記第１折返し部の外側に前記第２折曲部を嵌合し、前記第１折返し部の先端面と前記第２折返し部の先端面とを突合わせて組合わされていることを特徴とする表示装置。
【請求項１８】
前記液晶表示パネルと前記面光源は枠部材に支持されており、前記第１ケース部材の第１折返し部の先端面と前記第２ケース部材の第２折返し部の先端面は、前記第１主面部及び前記第２主面部の縁部近くの部分を前記枠部材により内面側から支持させると共に、前記第１主面部と前記第２主面部の少なくとも一方の前記枠部材に支持された部分よりも外側の縁部を前記第２折返し部の先端が前記第１折返し部の先端を通り越すまで弾性変形させることにより突合わされ、前記主面部の弾性復帰力によって前記突合わせ状態に保持されていることを特徴とする請求項１７に記載の表示装置。
【請求項１９】
光の透過を制御して画像を表示する液晶表示パネルと、前記液晶表示パネルの背後に配置され、前記液晶表示パネルに向けて照明光を照射する面光源と、前記面光源を収容するケースとを備えた表示装置において、
前記ケースは、
面光源収容スペースの一方の面を形成する第１主面部と、前記第１主面部の縁部を前記面光源収容スペース側に折曲して形成された第１折曲部と、前記第１折曲部の先端部を前記第１折曲部の外面側に前記第１主面部の方向に向けて折返して形成された第１折返し部とを有する第１ケース部材と、
前記面光源収容スペースの他方の面を形成する第２主面部と、前記第２主面部の縁部を前記面光源収容スペース側に折曲して形成された第２折曲部と、前記第２折曲部の先端部を前記第２折曲部の内面側に前記第２主面部の方向に向けて折返して形成された第２折返し部とを有する第２ケース部材と、
前記第１ケース部材の第１主面部と前記第２ケース部材の第２主面部との何れか一方に設けられた照明用開口と、からなり、
前記第１ケース部材の第１主面部と前記第２ケース部材の第２主面部との間に、前記面光源が、その光出射面を前記照明用開口に対向させて配置され、
前記第１ケース部材と前記第２ケース部材とが、前記第１折曲部及び前記第１折返し部の外側に前記第２折曲部を嵌合し、前記第１折返し部の先端面と前記第２折返し部の先端面とを突合わせて組合わされると共に、
前記第１主面部と前記第２主面部とのうちの前記照明用開口が設けられた主面部の外面上に、前記液晶表示パネルがその画面エリアを前記照明用開口に対向させて配置されていることを特徴とする表示装置。
【請求項２０】
前記面光源は枠部材に支持されており、前記第１ケース部材の第１折返し部の先端面と前記第２ケース部材の第２折返し部の先端面は、前記第１主面部及び前記第２主面部の縁部近くの部分を前記枠部材により内面側から支持させると共に、前記第１主面部と前記第２主面部の少なくとも一方の前記枠部材に支持された部分よりも外側の縁部を前記第２折返し部の先端が前記第１折返し部の先端を通り越すまで弾性変形させることにより突合わされ、前記主面部の弾性復帰力によって前記突合わせ状態に保持されていることを特徴とする請求項１９に記載の表示装置。
【請求項２１】
前記第２ケース部材の第２折曲部は、前記第１ケース部材の第１折曲部の高さよりも大きい高さに形成され、前記照明用開口は前記第１ケース部材の第１主面部に設けられており、前記第１ケース部材と前記第２ケース部材は、前記第２折曲部の先端側及び前記第２折返し部の基部側の部分を前記第１ケース部材の第１主面部の外面方向に突出させて組合わされ、その突出部により、前記第１主面部の外面上に配置された前記液晶表示パネルを側方から保護するガード部が形成されていることを特徴とする請求項１９または２０に記載の表示装置。
【請求項２２】
光の透過を制御して画像を表示する液晶表示パネルと、前記液晶表示パネルの背後に配置され、前記液晶表示パネルに向けて照明光を照射する面光源と、前記液晶表示パネルと前記面光源とを収容するケースとを備えた表示装置において、
前記ケースは、
面光源収容スペースの一方の面を形成する第１主面部と、前記第１主面部の縁部を前記面光源収容スペース側に折曲して形成された第１折曲部と、前記第１折曲部の先端部を前記第１折曲部の外面側に前記第１主面部の方向に向けて折返して形成された第１折返し部とを有し、前記第１主面部に照明用開口が設けられた第１ケース部材と、
前記面光源収容スペースの他方の面を形成する第２主面部と、前記第２主面部の縁部を前記面光源収容スペース側に折曲して形成された第２折曲部と、前記第２折曲部の先端部を前記第２折曲部の内面側に前記第２主面部の方向に向けて折返して形成された第２折返し部と、前記第２折曲部の先端部を前記第２折曲部の外面側に前記第２主面部の方向に向けて折返して形成された逆折返し部とを有する第２ケース部材と、
前記第１ケース部材の第１主面部の外面側に表示パネル収容スペースを形成するための、前記表示パネル収容スペースの前記第１ケース部材側とは反対側の面を形成する第３主面部と、前記第３主面部の縁部を前記表示パネル収容スペース側に折曲して形成された第３折曲部と、前記第３折曲部の先端部を前記第３折曲部の内面側に前記第３主面部の方向に向けて折返して形成された第３折返し部とを有し、前記第３主面部に表示用開口が設けられた第３ケース部材と、からなり、
前記第１ケース部材の第１主面部と前記第２ケース部材の第２主面部との間に、前記面光源が、その光出射面を前記照明用開口に対向させて配置され、
前記第１ケース部材と前記第２ケース部材とが、前記第１折曲部及び前記第１折返し部の外側に前記第２折曲部を嵌合し、前記第１折返し部の先端面と前記第２折返し部の先端面とを突合わせて組合わされると共に、
前記第１主面部の外面に、前記液晶表示パネルがその画面エリアを前記照明用開口に対向させて配置され、
前記第３ケース部材が、その第３主面部に設けられた前記表示用開口を前記液晶表示パネルの画面エリアに対向させて配置され、前記第３ケース部材と前記第２ケース部材とが、前記第２折曲部及び前記逆折返し部の外側に前記第３折曲部を嵌合し、前記逆折返し部の先端面と前記第３折返し部の先端面とを突合わせて組合わされていることを特徴とする表示装置。
【請求項２３】
前記面光源は枠部材に支持されており、前記第１ケース部材の第１折返し部の先端面と前記第２ケース部材の第２折返し部の先端面は、前記第１主面部及び前記第２主面部の縁部近くの部分を前記枠部材により内面側から支持させると共に、前記第１主面部と前記第２主面部の少なくとも一方の前記枠部材に支持された部分よりも外側の縁部を前記第２折返し部の先端が前記第１折返し部の先端を通り越すまで弾性変形させることにより突合わされ、前記主面部の弾性復帰力によって前記突合わせ状態に保持され、
前記第３のケース部材は、その第３主面部の縁部近くの部分を、前記液晶表示パネルを介して前記第１ケース部材の第１主面部に支持され、前記逆折返し部の先端面と前記第３折返し部の先端面は、前記第３主面部の前記液晶表示パネルに支持された部分よりも外側の縁部を前記第３折返し部の先端が前記逆折返し部の先端を通り越すまで弾性変形させることにより突合わされ、前記第３主面部の弾性復帰力によって前記突合わせ状態に保持されていることを特徴とする請求項２２に記載の表示装置。
【発明の詳細な説明】
【技術分野】
【０００１】
この発明は、ケース及び表示装置に関する。
【背景技術】
【０００２】
例えば液晶表示パネルや面光源等の部品を収容するケースは、従来、シャーシとケース体とをネジにより締結して構成されている（特許文献１参照）。
【先行技術文献】
【特許文献】
【０００３】
【特許文献１】特開２００６−１９５２２４号公報
【発明の概要】
【発明が解決しようとする課題】
【０００４】
しかし、シャーシとケース体とをネジによって締結した従来のケースは、ネジ孔の穿設、ネジの製造及び管理にコストがかかり、また、ケースの組立てに、ネジの挿入及び締付け等の多くの工数を要するという問題をもっている。
【０００５】
この発明は、ネジによる締結を行うことなく簡単に組立てることができるケースを提供することを目的としたものである。
【０００６】
また、この発明は、低コストに、しかも容易に製造することができる表示装置を提供することを目的としたものである。
【課題を解決するための手段】
【０００７】
請求項１に記載の発明は、部品を収容するケースであって、
前記部品の収容スペースの一方の面を形成する第１主面部と、前記第１主面部の縁部を前記収容スペース側に折曲して形成された第１折曲部と、前記第１折曲部の先端部を前記第１折曲部の外面側に前記第１主面部の方向に向けて折返して形成された第１折返し部とを有する第１ケース部材と、
前記収容スペースの他方の面を形成する第２主面部と、前記第２主面部の縁部を前記収容スペース側に折曲して形成された第２折曲部と、前記第２折曲部の先端部を前記第２折曲部の内面側に前記第２主面部の方向に向けて折返して形成された第２折返し部とを有する第２ケース部材と、からなり、
前記第１ケース部材と前記第２ケース部材とが、前記第１折曲部及び前記第１折返し部の外側に前記第２折曲部を嵌合し、前記第１折返し部の先端面と前記第２折返し部の先端面とを突合わせて組合わされることを特徴とする。
【０００８】
請求項２に記載の発明は、前記請求項１に記載のケースにおいて、前記第２ケース部材の第２折曲部は、この第２折曲部から折返された前記第２折返し部の基部を、前記第１ケース部材の第１折曲部から折返された前記第１折返し部の基部に当接させて、前記第２ケース部材と前記第１ケース部材とを前記第２主面部と前記第１主面部とを互いに近づけるように押付けることにより、前記第１折曲部をその先端に向かって内面方向に傾くように弾性変形させるか又は前記第２折曲部をその先端に向かって外面方向に傾くように弾性変形させて前記第２ケース部材の前記第２折曲部を前記第１折曲部及び前記第１折返し部の外側に嵌合して、前記第２折返し部の先端が前記第１折返し部の先端を通り越したときに前記第１折曲部及び前記第２折曲部が弾性復帰して前記第１折返し部の先端面と前記第２折返し部の先端面とが突合わされることを特徴とする。
【０００９】
請求項３に記載の発明は、前記請求項２に記載のケースにおいて、前記第１ケース部材の第１主面部と前記第２ケース部材の第２主面部との間に、前記収容スペースに配置される部品を支持する枠部材が配置され、前記第１主面部及び前記第２主面部は、それぞれの縁部近くの部分を前記枠部材により内面側から支持され、前記第１折返し部の先端面と前記第２折返し部の先端面は、前記第１主面部と前記第２主面部の少なくとも一方の前記枠部材に支持された部分よりも外側の縁部を前記第２折返し部の先端が前記第１折返し部の先端を通り越すまで弾性変形させることにより突合わされ、前記主面部の弾性復帰力によって前記突合わせ状態に保持されることを特徴とする。
【００１０】
請求項４に記載の発明は、前記請求項１〜３の何れか一つに記載のケースにおいて、前記第１ケース部材の第１折曲部及び前記第２ケース部材の第２折曲部はそれぞれ、前記第１主面部の縁部及び前記第２主面部の縁部を略直角に折曲して形成され、前記第１折返し部及び前記第２折返し部はそれぞれ、前記第１折曲部の先端部及び第２折曲部の先端部を前記第１折曲部及び第２折曲部と略平行に折返して形成されていることを特徴とする。
【００１１】
請求項５に記載の発明は、前記請求項１〜４の何れか一つに記載のケースにおいて、前記第１ケース部材の第１折返し部は、前記第１折曲部の高さよりも小さい高さに形成され、前記第２ケース部材の第２折返し部は、前記第２折曲部の高さよりも小さい高さに形成されていることを特徴とする。
【００１２】
請求項６に記載の発明は、前記請求項１〜５の何れか一つに記載のケースにおいて、前記第１ケース部材の第１折返し部は、前記第２ケース部材の第２主面部の内面と前記第２折返し部の先端面との間に入り込む高さに形成されていることを特徴とする。
【００１３】
請求項７に記載の発明は、前記請求項１〜６の何れか一つに記載のケースにおいて、前記第１ケース部材の第１主面部と前記第２ケース部材の第２主面部はそれぞれ四角形状に形成され、前記第１ケース部材の第１折曲部及び第１折返し部と、前記第２ケース部材の第２折曲部及び第２折返し部は、前記第１主面部及び前記第２主面部の各縁部のうちの少なくとも前記主面部を挟んで対向する二つの縁部に対応させて形成されていることを特徴とする。
【００１４】
請求項８に記載の発明は、前記請求項７に記載のケースにおいて、前記第１ケース部材の第１折曲部と前記第２ケース部材の第２折曲部はそれぞれ、前記第主面部及び前記第２主面部の少なくとも前記二つの縁部の略全長にわたって形成され、前記第１折返し部と前記第２折返し部は、前記第１折曲部及び前記第２折曲部の長手方向に沿わせて形成されていることを特徴とする。
【００１５】
請求項９に記載の発明は、前記請求項１〜８の何れか一つに記載のケースにおいて、前記第１ケース部材の第１折曲部と前記第２ケース部材の第２折曲部は、略同じ高さに形成されており、前記第１ケース部材と前記第２ケース部材は、前記第１ケース部材の第１主面部の側縁部と前記第２ケース部材の第２主面部の側縁部との間に、前記第１折曲部の前記第１折返し部の先端よりも前記第１主面部側の部分と前記第２折曲部の先端側の部分及び前記第２折返し部とからなる三枚板構造の領域と、前記第１折曲部の先端側の部分及び前記第１折返し部と前記第２折曲部の前記第２折返し部の先端よりも前記第２主面部側の部分とからなる三枚板構造の領域とを有する側面部を形成して組合わされることを特徴とする。
【００１６】
請求項１０に記載の発明は、前記請求項１〜８の何れか一つに記載のケースにおいて、前記第２ケース部材の第２折曲部は、前記第１ケース部材の第１折曲部の高さよりも大きい高さに形成されており、前記第１ケース部材と前記第２ケース部材は、前記第２折曲部の先端側及び前記第２折返し部の基部側の部分を前記第１ケース部材の第１主面部の外面方向に突出させ、前記第１主面部の側縁部と前記第２ケース部材の第２主面部の側縁部との間に、前記第１折曲部及び前記第１折返し部と前記第２折曲部の前記第２折返し部よりも前記第２主面部側の部分とからなる三枚板構造の側面部を形成して組合わされることを特徴とする。
【００１７】
請求項１１に記載の発明は、前記請求項１〜８の何れか一つに記載のケースにおいて、前記第１ケース部材の第１主面部の外面側に第２収容スペースを形成するための第３ケース部材をさらに備え、
前記第３ケース部材は、前記第２収容スペースの前記第１ケース部材側とは反対側の面を形成する第３主面部と、前記第３主面部の縁部を前記第２収容スペース側に折曲して形成された第３折曲部と、前記第３折曲部の先端部を前記第３折曲部の内面側に前記第３主面部の方向に向けて折返して形成された第３折返し部とを有し、
前記第２ケース部材は、前記第２折曲部の先端部を前記第２折曲部の外面側に前記第２主面部の方向に向けて折返して形成された逆折返し部を有しており、
前記第２ケース部材と前記第３ケース部材とが、前記第２折曲部及び前記逆折返し部の外側に前記第３折曲部を嵌合し、前記逆折返し部の先端面と前記第３折返し部の先端面とを突合わせて組合わされることを特徴とする。
【００１８】
請求項１２に記載の発明は、前記請求項１１に記載のケースにおいて、前記第３ケース部材の第３折曲部は、この第３折曲部から折返された前記第３折返し部の基部を、前記第２ケース部材の第２折曲部から折返された前記逆折返し部の基部に当接させて、前記第３ケース部材と前記第２ケース部材とを前記第３主面部と前記第２主面部とを互いに近づけるように押付けることにより、前記第２折曲部をその先端に向かって内面方向に傾くように弾性変形させるか又は前記第３折曲部をその先端に向かって外面方向に傾くように弾性変形させて前記第３ケース部材の前記第３折曲部を前記第２折曲部及び前記逆折返し部の外側に嵌合して、前記第３折返し部の先端が前記逆折返し部の先端を通り越したときに前記第２折曲部及び前記第３折曲部が弾性復帰して前記逆折返し部の先端面と前記第３折返し部の先端面とが突合わされることを特徴とする。
【００１９】
請求項１３に記載の発明は、前記請求項１２に記載のケースにおいて、前記第３のケース部材は、その第３主面部の縁部近くの部分を、前記第２収容スペースに収容された部品を介して前記第１ケース部材の第１主面部に支持され、前記逆折返し部の先端面と前記第３折返し部の先端面は、前記第３主面部の前記部品に支持された部分よりも外側の縁部を前記第３折返し部の先端が前記逆折返し部の先端を通り越すまで弾性変形させることにより突合わされ、前記第３主面部の弾性復帰力によって前記突合わせ状態に保持されることを特徴とする。
【００２０】
請求項１４に記載の発明は、前記請求項１１〜１３の何れか一つに記載のケースにおいて、前記第２ケース部材の逆折返し部は、前記第２折曲部の高さよりも小さい高さに形成され、前記第３ケース部材の第３折返し部は、前記第３折曲部の高さよりも小さい高さに形成されていることを特徴とする。
【００２１】
請求項１５に記載の発明は、前記請求項１１〜１４の何れか一つに記載のケースにおいて、前記第２ケース部材の逆折返し部は、前記第３ケース部材の第３主面部の内面と前記第３折返し部の先端面との間に入り込む高さに形成されていることを特徴とする。
【００２２】
請求項１６に記載の発明は、前記請求項１１〜１５の何れか一つに記載のケースにおいて、前記第２ケース部材の第２折曲部は、前記第１ケース部材の第１折曲部の高さよりも大きい高さに形成され、前記第３ケース部材の第３折曲部は、前記第２ケース部材の第２折曲部の高さと略同じ高さに形成されており、前記第１ケース部材と前記第２ケース部材と前記第３ケース部材は、前記第１ケース部材の第１主面部の側縁部と前記第３ケース部材の第３主面部の側縁部との間に、前記第１折曲部の先端側の部分及び前記第１折返し部と前記第２折曲部の前記第２折返し部及び前記逆折返し部の先端よりも前記第２主面部側の部分と前記第３折曲部の先端側の部分及び前記第３折返し部とからなる五枚板構造の領域と、前記第２折曲部の先端側の部分及び前記第２折返し部または前記逆折返し部と前記第３折曲部の前記第３折返し部の先端よりも前記第３主面部側の部分とからなる三枚板構造の領域とを有する側面部を形成して組合わされることを特徴とする。
【００２３】
請求項１７に記載の発明は、光の透過を制御して画像を表示する液晶表示パネルと、前記液晶表示パネルの背後に配置され、前記液晶表示パネルに向けて照明光を照射する面光源と、前記液晶表示パネルと前記面光源とを収容するケースとを備えた表示装置において、
前記ケースは、
前記液晶表示パネルと前記面光源の収容スペースの一方の面を形成する第１主面部と、前記第１主面部の縁部を前記収容スペース側に折曲して形成された第１折曲部と、前記第１折曲部の先端部を前記第１折曲部の外面側に前記第１主面部の方向に向けて折返して形成された第１折返し部とを有する第１ケース部材と、
前記収容スペースの他方の面を形成する第２主面部と、前記第２主面部の縁部を前記収容スペース側に折曲して形成された第２折曲部と、前記第２折曲部の先端部を前記第２折曲部の内面側に前記第２主面部の方向に向けて折返して形成された第２折返し部とを有する第２ケース部材と、
前記第１ケース部材の第１主面部と前記第２ケース部材の第２主面部との何れか一方に設けられた表示用開口と、からなり、
前記第１ケース部材の第１主面部と前記第２ケース部材の第２主面部との間に、前記液晶表示パネルと面光源が、前記液晶表示パネルの画面エリアを前記表示用開口に対向させて配置され、
前記第１ケース部材と前記第２ケース部材とが、前記第１折曲部及び前記第１折返し部の外側に前記第２折曲部を嵌合し、前記第１折返し部の先端面と前記第２折返し部の先端面とを突合わせて組合わされていることを特徴とする。
【００２４】
請求項１８に記載の発明は、前記請求項１７に記載の表示装置において、前記液晶表示パネルと前記面光源は枠部材に支持されており、前記第１ケース部材の第１折返し部の先端面と前記第２ケース部材の第２折返し部の先端面は、前記第１主面部及び前記第２主面部の縁部近くの部分を前記枠部材により内面側から支持させると共に、前記第１主面部と前記第２主面部の少なくとも一方の前記枠部材に支持された部分よりも外側の縁部を前記第２折返し部の先端が前記第１折返し部の先端を通り越すまで弾性変形させることにより突合わされ、前記主面部の弾性復帰力によって前記突合わせ状態に保持されていることを特徴とする。
【００２５】
請求項１９に記載の発明は、光の透過を制御して画像を表示する液晶表示パネルと、前記液晶表示パネルの背後に配置され、前記液晶表示パネルに向けて照明光を照射する面光源と、前記面光源を収容するケースとを備えた表示装置において、
前記ケースは、
面光源収容スペースの一方の面を形成する第１主面部と、前記第１主面部の縁部を前記面光源収容スペース側に折曲して形成された第１折曲部と、前記第１折曲部の先端部を前記第１折曲部の外面側に前記第１主面部の方向に向けて折返して形成された第１折返し部とを有する第１ケース部材と、
前記面光源収容スペースの他方の面を形成する第２主面部と、前記第２主面部の縁部を前記面光源収容スペース側に折曲して形成された第２折曲部と、前記第２折曲部の先端部を前記第２折曲部の内面側に前記第２主面部の方向に向けて折返して形成された第２折返し部とを有する第２ケース部材と、
前記第１ケース部材の第１主面部と前記第２ケース部材の第２主面部との何れか一方に設けられた照明用開口と、からなり、
前記第１ケース部材の第１主面部と前記第２ケース部材の第２主面部との間に、前記面光源が、その光出射面を前記照明用開口に対向させて配置され、
前記第１ケース部材と前記第２ケース部材とが、前記第１折曲部及び前記第１折返し部の外側に前記第２折曲部を嵌合し、前記第１折返し部の先端面と前記第２折返し部の先端面とを突合わせて組合わされると共に、
前記第１主面部と前記第２主面部とのうちの前記照明用開口が設けられた主面部の外面上に、前記液晶表示パネルがその画面エリアを前記照明用開口に対向させて配置されていることを特徴とする。
【００２６】
請求項２０に記載の発明は、前記請求項１９に記載の表示装置において、前記面光源は枠部材に支持されており、前記第１ケース部材の第１折返し部の先端面と前記第２ケース部材の第２折返し部の先端面は、前記第１主面部及び前記第２主面部の縁部近くの部分を前記枠部材により内面側から支持させると共に、前記第１主面部と前記第２主面部の少なくとも一方の前記枠部材に支持された部分よりも外側の縁部を前記第２折返し部の先端が前記第１折返し部の先端を通り越すまで弾性変形させることにより突合わされ、前記主面部の弾性復帰力によって前記突合わせ状態に保持されていることを特徴とする。
【００２７】
請求項２１に記載の発明は、前記請求項１９または２０に記載の表示装置において、前記照明用開口は前記第１ケース部材の第１主面部に設けられ、前記第２ケース部材の第２折曲部は、前記第１ケース部材の第１折曲部の高さよりも大きい高さに形成されており、前記第１ケース部材と前記第２ケース部材は、前記第２折曲部の先端側及び前記第２折返し部の基部側の部分を前記第１ケース部材の第１主面部の外面方向に突出させて組合わされ、その突出部により、前記第１主面部の外面上に配置された前記液晶表示パネルを側方から保護するガード部が形成されていることを特徴とする。
【００２８】
請求項２２に記載の発明は、光の透過を制御して画像を表示する液晶表示パネルと、前記液晶表示パネルの背後に配置され、前記液晶表示パネルに向けて照明光を照射する面光源と、前記液晶表示パネルと前記面光源とを収容するケースとを備えた表示装置において、
前記ケースは、
面光源収容スペースの一方の面を形成する第１主面部と、前記第１主面部の縁部を前記面光源収容スペース側に折曲して形成された第１折曲部と、前記第１折曲部の先端部を前記第１折曲部の外面側に前記第１主面部の方向に向けて折返して形成された第１折返し部とを有し、前記第１主面部に照明用開口が設けられた第１ケース部材と、
前記面光源収容スペースの他方の面を形成する第２主面部と、前記第２主面部の縁部を前記面光源収容スペース側に折曲して形成された第２折曲部と、前記第２折曲部の先端部を前記第２折曲部の内面側に前記第２主面部の方向に向けて折返して形成された第２折返し部と、前記第２折曲部の先端部を前記第２折曲部の外面側に前記第２主面部の方向に向けて折返して形成された逆折返し部とを有する第２ケース部材と、
前記第１ケース部材の第１主面部の外面側に表示パネル収容スペースを形成するための、前記表示パネル収容スペースの前記第１ケース部材側とは反対側の面を形成する第３主面部と、前記第３主面部の縁部を前記表示パネル収容スペース側に折曲して形成された第３折曲部と、前記第３折曲部の先端部を前記第３折曲部の内面側に前記第３主面部の方向に向けて折返して形成された第３折返し部とを有し、前記第３主面部に表示用開口が設けられた第３ケース部材と、からなり、
前記第１ケース部材の第１主面部と前記第２ケース部材の第２主面部との間に、前記面光源が、その光出射面を前記照明用開口に対向させて配置され、
前記第１ケース部材と前記第２ケース部材とが、前記第１折曲部及び前記第１折返し部の外側に前記第２折曲部を嵌合し、前記第１折返し部の先端面と前記第２折返し部の先端面とを突合わせて組合わされると共に、
前記第１主面部の外面に、前記液晶表示パネルがその画面エリアを前記照明用開口に対向させて配置され、
前記第３ケース部材が、その第３主面部に設けられた前記表示用開口を前記液晶表示パネルの画面エリアに対向させて配置され、前記第３ケース部材と前記第２ケース部材とが、前記第２折曲部及び前記逆折返し部の外側に前記第３折曲部を嵌合し、前記逆折返し部の先端面と前記第３折返し部の先端面とを突合わせて組合わされていることを特徴とする。
【００２９】
請求項２３に記載の発明は、前記請求項２２に記載の表示装置において、前記面光源は枠部材に支持されており、前記第１ケース部材の第１折返し部の先端面と前記第２ケース部材の第２折返し部の先端面は、前記第１主面部及び前記第２主面部の縁部近くの部分を前記枠部材により内面側から支持させると共に、前記第１主面部と前記第２主面部の少なくとも一方の前記枠部材に支持された部分よりも外側の縁部を前記第２折返し部の先端が前記第１折返し部の先端を通り越すまで弾性変形させることにより突合わされ、前記主面部の弾性復帰力によって前記突合わせ状態に保持され、
前記第３のケース部材は、その第３主面部の縁部近くの部分を、前記液晶表示パネルを介して前記第１ケース部材の第１主面部に支持され、前記逆折返し部の先端面と前記第３折返し部の先端面は、前記第３主面部の前記液晶表示パネルに支持された部分よりも外側の縁部を前記第３折返し部の先端が前記逆折返し部の先端を通り越すまで弾性変形させることにより突合わされ、前記第３主面部の弾性復帰力によって前記突合わせ状態に保持されていることを特徴とする。
【発明の効果】
【００３０】
この発明の一の態様によれば、ネジによる締結を行うことなく簡単にケースを組立てることができる。
【００３１】
また、この発明の他の態様によれば、低コストに、しかも容易に表示装置を製造することができる。
【図面の簡単な説明】
【００３２】
【図１】この発明の第１実施例の表示装置の斜視図。
【図２】第１実施例の表示装置の図１のII−II矢視線に沿った拡大断面図。
【図３】第１実施例の表示装置の分解斜視図。
【図４】第１実施例の表示装置における第１ケース部材と第２ケース部材の一部分の斜視図。
【図５】第１実施例の表示装置の製造におけるケースの組立て工程を示す図２に対応する部分の断面図。
【図６】この発明の第２実施例の表示装置における第１ケース部材と第２ケース部材の一部分の斜視図。
【図７】第２実施例の表示装置の図６のVII−VII矢視線に沿った部分の拡大断面図。
【図８】この発明の第３実施例の表示装置における第１ケース部材と第２ケース部材と第３ケースの一部分の斜視図。
【図９】第３実施例の表示装置の図８のIX−IX矢視線に沿った部分の拡大断面図。
【図１０】第３実施例の表示装置の図８のX−X矢視線に沿った部分の拡大断面図。
【発明を実施するための形態】
【００３３】
［第１実施例］
第１実施例の表示装置は、図１〜図４のように、光の透過を制御して画像を表示する液晶表示パネル１と、この液晶表示パネル１の背後に配置され、前記液晶表示パネル１に向けて照明光を照射する面光源１１と、前記液晶表示パネル１と面光源１１とを収容するケース２７とを備えている。以下、図２における上側（例えば液晶表示パネル１に対して面光源１１が配置された側とは反対側）を「観察側」称し、図２における下側（例えば液晶表示パネル１に対して面光源１１が配置された側）を「裏面側」と称する。
【００３４】
前記液晶表示パネル１は、図２及び図３のように、予め定めた間隙を設けて対向配置され、画面エリア１ａを囲む枠状のシール材４を介して接合された観察側と裏面側の一対の透明基板２，３と、これらの基板２，３間の間隙の前記シール材４で囲まれた領域に封入された液晶層５と、前記一対の基板２，３の外面にそれぞれ貼付けて配置された観察側と裏面側の偏光板６，７とからなっている。
【００３５】
この液晶表示パネル１は、例えばＴＦＴ（薄膜トランジスタ）をアクティブ素子としたアクティブマトリックス液晶表示パネルであり、図では省略しているが、前記裏面側の基板３の内面（基板３に対して液晶層５が配置された側）に、行方向及び列方向にマトリックス状に配列させて形成された複数の透明な画素電極と、これらの画素電極にそれぞれ対応させて配置され、対応する画素電極に接続された複数のＴＦＴと、各行のＴＦＴにゲート信号を供給する複数の走査線と、各列のＴＦＴにデータ信号を供給する複数の信号線と、これらを覆って形成された第１配向膜とが設けられ、前記観察側の基板２の内面（基板２に対して液晶層５が配置された側）に、前記各画素電極とそれぞれ対応させて形成された赤、緑、青の３色のカラーフィルタと、これらのカラーフィルタの上に前記各画素電極の配列領域に対向させて形成された一枚膜状の透明な対向電極と、前記対向電極を覆って形成された第２配向膜とが設けられている。
【００３６】
また、前記裏面側の基板３は、その一つの縁部に、前記観察側の基板２の外方に張り出したドライバ搭載部３ａを有しており、このドライバ搭載部３ａに、前記各走査線に順次ゲート信号を印加し、前記各信号線にデータ信号を印加するドライバ素子８が搭載されると共に、前記ドライバ搭載部３ａの端縁部に、前記ドライバ素子８の制御回路、面光源点灯回路、及び外部回路接続用コネクタ等からなる電子部品ユニット１０が設けられた配線フィルム９が接続されている。
【００３７】
なお、この液晶表示パネル１は、四角形状、例えば矩形形状の外形を有しており、前記画面エリア１ａは、前記枠状のシール材４による基板接合部で囲まれた領域に形成されている。
【００３８】
前記液晶表示パネル１は、液晶分子を実質的に９０°の捩れ角でツイスト配向させたＴＮ型、液晶分子を１８０°〜２７０°の捩れ角でツイスト配向させたＳＴＮ型、液晶分子を基板面に対して実質的に垂直に配向させた垂直配向型、液晶分子を分子長軸を一方向に揃えて基板面と実質的に平行に配向させた非ツイストの水平配向型、液晶分子をベンド配向させるベンド配向型のいずれでもよく、また強誘電性または反強誘電性液晶表示素子でもよい。
【００３９】
さらに、前記液晶表示パネル１は、前記一対の基板２，３にそれぞれ複数の画素を形成するための電極を設けたものに限らず、前記裏面側の基板３の内面に、複数の画素を形成するための第１電極と、この第１電極よりも液晶層５側または基板３側に前記第１電極と絶縁して形成された複数の細長電極部を有する第２電極とを設け、これらの電極間に横電界（基板面に沿う方向の電界）を生じさせて液晶分子の配向状態を変化させる横電界制御型液晶表示パネルでもよい。
【００４０】
前記面光源１１は、前記液晶表示パネル１の画面エリア１ａよりもある程度大きい面積を有する矩形板状の透明部材からなり、その長手方向の二つの端面の一方に光を入射させる入射端面１３が形成され、二つの板面の一方に前記入射端面から入射した光を出射させる出射面１４が形成され、他方の板面に前記入射端面１３から入射した光を前記出射面１４に向けて内面反射する反射面１５が形成された導光板１２と、前記導光板１２の入射端面１３に対向させて配置されたＬＥＤ（発光ダイオード）等の複数の発光素子１６と、前記導光板１２の出射面１４上に設けられ、前記導光板１２の出射面１４から出射した光を拡散させる拡散層１９と、前記拡散層１９の上に積層して配置された２枚のプリズムシート２０，２１とにより構成されている。
【００４１】
なお、図では前記プリズムシート２０，２１をそれぞれ一枚膜のように示しているが、これらのプリズムシート２０，２１のうちの前記拡散層１９側のプリズムシート２０には、予め定めた第１の方向、例えば前記導光板１２の幅方向（入射端面１３及び出射面１４と平行な方向）に沿った複数の細長プリズムが密なピッチで形成され、他方のプリズムシート２１には、予め定めた第２の方向、例えば前記導光板１２の長手方向（入射端面１３に対して垂直で、出射面１４と平行な方向）に沿った複数の細長プリズムが密なピッチで形成されている。
【００４２】
また、前記複数の発光素子１６は、これらの発光素子１６の接続配線が形成された配線基板１７上に配置されており、この配線基板１７の一方の側縁部を、前記導光板１２の出射面１４の入射端面１３側の端部に、両面粘着テープ等により貼付けることにより、前記導光板１２の入射端面１３に対向させて配置されている。
【００４３】
そして、前記複数の発光素子１６が配置された前記配線基板１７には、この配線基板１７を前記液晶表示パネル１のドライバ搭載部３ａに接続された配線フィルム９に設けられた前記電子部品ユニット１０の光源点灯回路に接続するためのリード配線フィルム１８が接続されている。
【００４４】
この面光源１１は、前記複数の発光素子１６から出射し、前記導光板１２にその入射端面１３から入射した光を、前記導光板１２の出射面１４の全域から出射し、その光を、前記拡散層１９により拡散し、さらに前記２枚のプリズムシート２０，２１により前記導光板１２の出射面１４の法線方向に対する角度が小さくなる方向に屈折させて、前記法線方向、つまり正面方向の出射光強度が高い強度分布の照明光を出射する。
【００４５】
また、前記導光板１２の反射面１５側には、前記導光板１２にその入射端面１３から入射した光のうちの前記反射面１５からの漏れ光を反射して前記導光板１２内に戻すための反射板２２が配置されている。
【００４６】
前記反射板２２は、前記導光板１２よりもある程度大きい面積を有する矩形形状に形成されており、その周縁部を前記導光板１２の周囲に張り出させて配置され、前記導光板１２の周縁部から前記反射板２２の周縁にわたる幅を有する両面粘着テープ２３によって前記導光板１２の周縁部に貼り付けられている。
【００４７】
さらに、この表示装置は、前記液晶表示パネル１と前記面光源１１とを支持する枠部材２４を備えており、前記液晶表示パネル１は、前記枠部材２４内の略中間高さよりも一方の面側（以下、上側という）の領域に配置され、前記面光源１１は、前記枠部材２４内の他方の面側（以下、下側という）の領域に配置されている。以下、枠部材２４の上下面にそれぞれ垂直な方向に沿った長さを高さという。
【００４８】
前記枠部材２４は、前記液晶表示パネル１及び面光源１１の周囲を囲む四角形状、例えば矩形形状に形成された樹脂成形品からなっており、この枠部材２４の外周面は、その高さ方向の全体にわたって、前記枠部材２４の上下面に対して略垂直な直線状の面に形成され、内周面は、その高さ方向の略中央部から下側の部分に、前記略中央部から前記枠部材２４の下面よりも僅かに上方の位置にわたる高さを有する突出部２４ａが設けられると共に、前記突出部２４ａよりも上側の部分の内周面と、前記突出部２４ａの内周面はそれぞれ、前記外周面と平行な直線状の面に形成された形状に形成されている。
【００４９】
前記枠部材２４内の前記突出部２４ａよりも上側の空間は、前記液晶表示パネル１の収容部とされており、この表示パネル収容部は、平面形状が前記液晶表示パネル１の外形よりも僅かに大きく、高さ（突出部２４ａの上面から枠部材２４の上面までの高さ）が、前記液晶表示パネル１の厚さと略同じ形状に形成されている。
【００５０】
また、前記枠部材２４内の前記突出部２４ａで囲まれた下側の空間は、前記面光源１１の収容部とされており、この面光源収容部は、平面形状が前記面光源１１の外形よりも僅かに大きく、高さ（突出部２４ａの高さ）が、前記面光源１１の厚さ（導光板１２と拡散層１９及びプリズムシート２０，２１の総厚）よりも僅かに大きい形状に形成されている。
【００５１】
そして、表示装置の構成部品である前記液晶表示パネル１と面光源１１のうちの液晶表示パネル１は、前記枠部材２４内の上側の表示パネル収容部に、観察側の面（観察側偏光板６の観察側の外面）を前記枠部材２４の上面方向に向けて配置され、裏面側の面（裏面側偏光板７の裏面側の外面）の画面エリア１ａよりも外側の周縁部を、前記枠部材２４の突出部２４ａの上面に両面粘着テープ２６によって貼付けることにより、前記観察側の面を前記枠部材２４の上面と略面一に前記突出部２４ａ上に支持されている。
【００５２】
また、前記面光源１１は、前記枠部材２４内の下側の面光源収容部に、照明光の出射面（プリズムシート２１の観察側の外面）を前記液晶表示パネル１に対向させて配置され、前記導光板１２の反射面１５に前記反射板２２を貼付けている前記両面粘着テープ２３の前記導光板１２の周囲に張り出した周縁部を前記枠部材２４の突出部２４ａの下面に貼付けることにより、前記突出部２４ａに支持されている。なお、前記突出部２４ａの下面は、前記突出部２４ａの下面よりも、前記両面粘着テープ２３及び反射板２２の総厚よりも大きい高さだけ上方に位置しており、前記導光板１２の反射面１５に貼付けられた前記両面粘着テープ２３及び反射板２２は、前記枠部材２４内に、この枠部材２４の下面側に突出しないように収容される。
【００５３】
なお、前記枠部材２４の長手方向の一端側の辺部には、前記突出部２４ａよりも上端側の部分を欠落させて形成された配線フィルム引出し部２５が設けられており、前記液晶表示パネル１のドライバ搭載部３ａに接続された配線フィルム９及び前記面光源１１の配線基板１７に接続されたリード配線フィルム１８は、前記配線フィルム引出し部２５から枠部材２４外に引出され、前記枠部材２４外において、前記配線フィルム９に設けられた電子部品ユニット１０の光源点灯回路に前記リード配線フィルム１８が接続されている。
【００５４】
一方、前記ケース２７は、表示装置の構成部品である前記液晶表示パネル１と面光源１１との収容スペースの一方の面を形成する第１主面部２９と、前記第１主面部２９の縁部を前記収容スペース側に折曲して形成された第１折曲部３０と、前記第１折曲部３０の先端部を前記第１折曲部３０の外面側に前記第１主面部２９の方向に向けて折返して形成された第１折返し部３１とを有する第１ケース部材２８と、前記収容スペースの他方の面を形成する第２主面部３４と、前記第２主面部３４の縁部を前記収容スペース側に折曲して形成された第２折曲部３５と、前記第２折曲部３５の先端部を前記第２折曲部３５の内面側に前記第２主面部３４の方向に向けて折返して形成された第２折返し部３６とを有する第２ケース部材３３と、前記第１ケース部材２８の第１主面部２９と前記第２ケース部材３３の第２主面部３４との何れか一方、例えば前記第２ケース部材３３の第２主面部３４に設けられた表示用開口３８とからなっている。
【００５５】
前記第１ケース部材２８と前記第２ケース部材３３はそれぞれ、アルミニウム板等の金属板のプレス成形品からなっており、前記第１ケース部材２８の第１折曲部３０及び前記第２ケース部材３３の第２折曲部３５はそれぞれ、前記第１主面部２９の縁部及び前記第２主面部３４の縁部を略直角に折曲して形成され、前記第１折返し部３１及び前記第２折返し部３６はそれぞれ、前記第１折曲部３０の先端部及び第２折曲部３５の先端部を前記第１折曲部３０及び第２折曲部３５と略平行に折返して形成されている。
【００５６】
また、前記第１ケース部材２８の第１主面部２９と前記第２ケース部材３３の第２主面部３４はそれぞれ前記枠部材２４の外形に対応する四角形状（この実施例では矩形形状）に形成され、前記第１ケース部材２８の第１折曲部３０及び第１折返し部３１と、前記第２ケース部材３３の第２折曲部３５及び第２折返し部３６は、前記第１主面部２９及び前記第２主面部３４の各縁部のうちの少なくとも前記主面部２９，３４を挟んで対向する二つの縁部に対応させて形成されている。
【００５７】
なお、前記第１ケース部材２８の第１主面部２９は、前記枠部材２４の外形よりも僅かに大きい矩形形状に形成され、前記第２ケース部材３３の第２主面部３４は、前記第１ケース部材２８の第１主面部２９の外形よりも、前記金属板の板厚の２倍程度大きい矩形形状に形成されている。
【００５８】
また、前記第１ケース部材２８の第１折曲部３０と前記第２ケース部材３３の第２折曲部３０は略同じ高さに形成されており、前記第１ケース部材２８の第１折返し部３１は、前記第１折曲部３０の高さよりも小さい高さに形成され、前記第２ケース部材３３の第２折返し部３６は、前記第２折曲部３５の高さよりも小さい高さに形成されている。
【００５９】
そして、前記第１ケース部材２８の第１折曲部３０と前記第２ケース部材３３の第２折曲部３５はそれぞれ、前記第１主面部２９及び前記第２主面部３４の少なくとも前記二つの縁部の略全長にわたって形成され、前記第１折返し部３１及び前記第２折返し部３６と前記第１折曲部３０及び前記第２折曲部３５とは、前記第１ケース部材２８及び前記第２ケース部材３３の長手方向（前記第１ケース部材２８及び前記第２ケース部材３３のうち、配線フィルム引出し部２５が設けられた側の端面からそれに対向する端面にかけて配置された一対の端面と前記第１主面部２９及び前記第２主面部３４とに平行な方向）に沿わせて形成されている。
【００６０】
この実施例において、前記第１ケース部材２８の第１折曲部３０は、前記第１主面部２９の全周の縁部に形成されており、そのうちの前記第１主面部２９の長手方向の一端側の縁部に形成された第１折曲部３０に、前記枠部材２４の配線フィルム引出し部２５から引出された前記配線フィルム９及びリード配線フィルム１８をケース２７外に引出すための第１切欠部３２が、前記第１折曲部３０の略中間高さと基部との間の位置よりも先端側の部分を切欠して形成されている。
【００６１】
また、前記第２ケース部材３３の第２折曲部３５は、前記第２主面部３４の長手方向の一端側の前記第１切欠部３２に対応する部分を除く略全周の縁部に形成されており、前記第１切欠部３２に対応する部分に、前記配線フィルム９及びリード配線フィルム１８をケース２７外に引出すための第２切欠部３７が形成されている。
【００６２】
なお、前記第１切欠部３２と前記第２切欠部３７は、前記第１ケース部材２８と第２ケース部材３３との組合わせによって互いに重なり合い、１つの配線フィルム引出し口を形成する。
【００６３】
そして、この実施例では、前記第１ケース部材２８の第１主面部２９の各縁部のうちの前記矩形形状の長手方向に沿った二つの縁部に形成された第１折曲部３１にそれぞれ、その両端部を除く領域の全長にわたって前記第１折返し部３１を形成し、前記第２ケース部材３３の第２主面部３４の各縁部のうちの前記矩形形状の長手方向に沿った二つの縁部に形成された第２折曲部３５にそれぞれ、その両端部を除く領域の全長にわたって前記第２折返し部３６を形成している。
【００６４】
また、前記第１ケース部材２８の第１主面部２９の内面から第１折曲部３０の先端までの高さと、前記第２ケース部材３３の第２主面部３４の内面から第２折曲部３５の先端までの高さはそれぞれ、前記枠部材２４の高さよりも僅かに小さく設定されており、前記第１折返し部３１及び前記第２折返し部３６はそれぞれ、前記第１折曲部３０及び前記第２折曲部３０の高さの１／２程度の高さに形成されている。そして、前記第１ケース部材２８と前記第２ケース部材とを組み合わせたときに前記第１折曲部３０と前記第２折曲部３０とが重ね合わされる部分は、前記第１折返し部３１及び前記第２折返し部３６の高さの合計と同じ程度の高さに形成されている。
【００６５】
さらに、前記第１ケース部材２８の第１折返し部３１は、前記第２ケース部材３３の第２主面部３４の内面と前記第２折返し部３６の先端面との間に入り込む高さに形成されている。
【００６６】
この実施例の表示装置は、前記第１ケース部材２８の第１主面部２９と前記第２ケース部材３３の第２主面部３４との間に、前記枠部材２４に支持された液晶表示パネル１と面光源１１とを、前記液晶表示パネル１の画面エリア１ａを前記第２ケース部材３３の第２主面部３４に設けられた表示用開口３８に対向させて配置し、前記第１ケース部材２８と前記第２ケース部材３３とを、前記第１折曲部３０及び前記第１折返し部３１の外側に前記第２折曲部３５を嵌合し、前記第１折返し部３１の先端面と前記第２折返し部３６の先端面とを突合わせて組合わせることにより前記ケース２７を組立てて構成されている。なお、この実施例において、前記液晶表示パネル１と面光源１１とを支持した枠部材２４は、前記ケース２７の組立てにより、前記第１ケース部材２８の第１主面部２９と前記第２ケース部材３３の第２主面部３４との間に挟持されてケース２７内に固定されている。
【００６７】
この表示装置の製造において、前記第１ケース部材２８と第２ケース部材３３の組合せは、前記第１ケース部材２８内に、前記液晶表示パネル１と面光源１１とを支持した枠部材２４を、前記第１ケース部材２８の第１主面部２９の内面上に支持させて配置した後に、前記第２ケース部材３３の第２折曲部３５からその内面側に折返された第２折返し部３６の基部（第２主面部３４側とは反対側の端部）を前記第１ケース部材２８の第１折曲部３０からその外面側に折返された第１折返し部３１の基部（第１主面部２９側とは反対側の端部）に当接させて、前記第２ケース部材３３を前記第１ケース部材３３の方向に押付けることにより行う。
【００６８】
図５（ａ）は、前記第２ケース部材３３の第２折返し部３６の基部を前記第１ケース部材２８の第１折返し部３１の基部に当接させた状態を示しており、この状態で前記第２ケース部材３３を前記第１ケース部材２８の方向に押付けると、図５（ｂ）のように、前記第１折曲部３０の外面側に折返された第１折返し部３１の外側に、前記第２折曲部３５の内面側に折返された第２折返し部３６が滑り込み、前記第２折曲部３５が前記第１折曲部３０をその先端に向かって内面方向に傾くように弾性変形させると同時に、前記第１折曲部３０からの弾性反発力により前記第２折曲部３５がその先端に向かって外面方向に傾くように弾性変形されて、前記第２折曲部３５が前記第１折曲部３０及び第１折返し部３１の外側に嵌合して行く。
【００６９】
そして、前記第２折曲部３５が、前記第１折曲部３０及び第１折返し部３１の外側に、前記第２折返し部３６の先端が前記第１折返し部３１の先端近くの位置に達するまで嵌合すると、前記第２ケース部材３３の第２主面部３４が前記枠部材２４に当接し、前記第１ケース部材２８の第１主面部２９と前記第２ケース部材３３の第２主面部３４とが、それぞれの縁部近くの部分を前記枠部材２４により内面側から支持される。
【００７０】
この後は、前記第２ケース部材３３の第２主面部３４の周縁部を前記第１ケース部材２８の方向にさらに押付けるか、或いは、前記第１ケース部材２８の第１主面部２９の周縁部を前記第２ケース部材３３の方向に押付けることにより、前記第１主面部２９と前記第２主面部３４の少なくとも一方の前記枠部材２４に支持された部分よりも外側の縁部を、前記第２折返し部３６の先端が前記第１折返し部３１の先端を通り越すまで弾性変形させ、その後に前記押付けを解除する。
【００７１】
このように、前記第１主面部２９と前記第２主面部３４の少なくとも一方の縁部を弾性変形させると、前記第２折返し部３６の先端が前記第１折返し部３１の先端を通り越した時点で、前記第１折曲部３０及び前記第２折曲部３５が弾性復帰して前記第２折返し部３６が前記第２折返し部３１の下側に入り込み、前記第１折返し部３１の先端面と前記第２折返し部３６の先端面とが図２のように突合わされると共に、その突合せ状態が、前記主面部２９，３４の弾性復帰力によって保持される。
【００７２】
なお、前記枠部材２４は、前記第１ケース部材２８と前記第２ケース部材３３とを前記枠部材２４を収容せずに組み合わせて前記第１折返し部３１の先端面と前記第２折返し部３６の先端面とを突合わせたときの前記第１主面部２９と前記第２主面部３４の内面間の間隔よりも極く僅かに（０．２〜０．５ｍｍ程度）大きい高さを有しており、従って、前記第１ケース部材２８の第１主面部２９及び前記第２ケース部材３３の第２主面部３４の縁部近くの部分を前記枠部材２４により内面側から支持させた後に、前記第１主面部２９と前記第２主面部３４の少なくとも一方の縁部を、極く僅かな押付け力で前記第２折返し部３６の先端が前記第１折返し部３１の先端を通り越すまで弾性変形させ、前記第１折返し部３１の先端面と前記第２折返し部３６の先端面とを突合わせることができる。
【００７３】
また、前記液晶表示パネル１は、前記枠部材２４に、観察側の面を前記枠部材２４の上面と略面一にして支持されており、前記第２ケース部材３３の第２主面部３４は、その内面を前記枠部材２４に当接させて内面側から支持されるため、前記液晶表示パネル１は、観察側の面の画面エリア１ａよりも外側の周縁部を、前記第２主面部３４の表示用開口３８の周縁部によって押え固定される。
【００７４】
そして、前記第１ケース部材２８の第１折曲部３０と前記第２ケース部材３３の第２折曲部３５は略同じ高さに形成され、前記第１ケース部材２８の第１折返し部３１は、前記第２ケース部材３３の第２主面部３４の内面と前記第２折返し部３６の先端面との間に入り込む高さに形成されているため、前記第１ケース部材２８と前記第２ケース部材３３は、図２のように、前記第１ケース部材２８の第１主面部２９の側縁部と前記第２ケース部材３３の第２主面部３４の側縁部との間に、前記第１折曲部３０の前記第１折返し部３１の先端よりも前記第１主面部２９側の部分と前記第２折曲部３６の先端側の部分及び前記第２折返し部３５とからなる三枚板構造の領域と、前記第１折曲部３０の先端側の部分及び前記第１折返し部３１と前記第２折曲部３５の前記第２折返し部３６の先端よりも前記第２主面部３４側の部分とからなる三枚板構造の領域とを有する側面部を形成して組合わされる。
【００７５】
前記ケース２７は、前記第１ケース部材２８と前記第２ケース部材３３とを、前記第１折曲部３０及び第１折返し部３１の外側に前記第２折曲部３５を嵌合し、前記第１折返し部３１の先端面と前記第２折返し部３６の先端面とを突合わせて組合わせることにより組立てられるため、ネジによる締結を行うことなく、前記第２ケース部材３３の第２折返し部３６の基部を前記第１ケース部材２８の第１折返し部３１の基部に当接させて前記第２ケース部材３３を前記第１ケース部材２８の方向に押付けるだけの作業で簡単に組立てることができる。
【００７６】
そして、前記ケース２７は、前記第１ケース部材２８の第１折曲部３０と前記第２ケース部材３３の第２折曲部３５をそれぞれ、前記第１主面部２９及び前記第２主面部３４の少なくとも二つの縁部の略全長にわたって形成し、前記第１折返し部３１と前記第２折返し部３６を、前記第１ケース部材２８及び前記第２ケース部材３３の長手方向に沿わせて形成しているため、前記第１折返し部３１の先端面と前記第２折返し部３６の先端面との突合わせ部の長さを充分に確保し、前記第１ケース部材２８と第２ケース部材３３との組合わせ状態を確実に保持することができる。
【００７７】
また、上記実施例では、前記第１ケース部材２８の第１折曲部３０を前記第１主面部２９の全周の縁部に形成すると共に、前記第２ケース部材３３の第２折曲部３５を、前記第２主面部３４の略全周の縁部に形成し、前記第１切欠部３２と前記第２切欠部３７とにより形成される配線フィルム引出し口以外の側面部を全周にわたって閉塞しているため、前記第１ケース部材２８と第２ケース部材３３とを組合わせて構成されたケース２７内にゴミ等の異物が入り込むことを抑制することができる。
【００７８】
さらに、前記第１ケース部材２８と第２ケース部材３３は、前記第１ケース部材２８の第１主面部２９の側縁部と前記第２ケース部材３３の第２主面部３４の側縁部との間に、前記第１折曲部３０の前記第１折返し部３１の先端よりも前記第１主面部２９側の部分と前記第２折曲部３６の先端側の部分及び前記第２折返し部３５とからなる三枚板構造の領域と、前記第１折曲部３０の先端側の部分及び前記第１折返し部３１と前記第２折曲部３５の前記第２折返し部３６の先端よりも前記第２主面部３４側の部分とからなる三枚板構造の領域とを有する側面部を形成して組合わされるため、前記ケース２７の長手方向に沿った二つの側面部に、高さ方向及び側面方向からの荷重や衝撃に対して充分な強度をもたせることができる。
【００７９】
また、上記表示装置は、その構成部品である液晶表示パネル１と面光源１１とを、ネジによる締結を行うことなく簡単に組立てることができる前記ケース２７内に収容したものであるため、低コストに、しかも容易に製造することができる。
【００８０】
なお、上記実施例では、前記第２ケース部材３３の第２主面部３４に表示用開口３８を設け、前記液晶表示パネル１と面光源１１とを支持させた枠部材２４を、前記液晶表示パネル１の観察側の面を前記第２ケース部材３３の第２主面部３４に対向させて配置しているが、それと逆に、前記第１ケース部材２８の第１主面部２９に前記表示用開口３８を設け、前記液晶表示パネル１と面光源１１とを支持させた枠部材２４を、前記液晶表示パネル１の観察側の面を前記第１ケース部材２８の第１主面部２９に対向させて配置してもよい。
【００８１】
［第２実施例］
図６及び図７に示した第２実施例の表示装置は、液晶表示パネル１と、面光源１１と、前記面光源１１を収容するケース４０とを備えたものであり、前記面光源１１は、枠部材３９に支持されて前記ケース４０内に収容され、前記液晶表示パネル１は、前記ケース４０外に配置されている。なお、前記液晶表示パネル１と面光源１１は、上記第１実施例のものと同じであるから、その説明は図に同符号を付して省略する。
【００８２】
前記枠部材３９は、前記面光源１１の周囲を囲む四角形状、例えば矩形形状に形成された樹脂成形品からなっており、この枠部材３９は、上記第１実施例における枠部材２４の突出部２４ａの上面から下側の部分と同じ形状に形成されている。
【００８３】
そして、前記面光源１１は、前記枠部材３９内に、照明光の出射面（プリズムシート２１の観察側の外面）を前記枠部材３９の上面側に向けて配置され、導光板１２の反射面１５に反射板２２を貼付けている両面粘着テープ２３の周縁部のうち前記導光板１２の周囲に張り出した部分を、前記枠部材３９の下面にその外周側の部分を除いて形成された凹入面に貼付けられており、前記面光源１１の配線基板１７に接続されたリード配線フィルム１８（図３参照）は、前記枠部材３９の上面側から外部に引出されている。
【００８４】
前記ケース４０は、前記面光源１１の収容スペースの一方の面を形成する第１主面部４２と、前記第１主面部４２の縁部を前記収容スペース側に折曲して形成された第１折曲部４３と、前記第１折曲部４３の先端部を前記第１折曲部４３の外面側に前記第１主面部４２の方向に向けて折返して形成された第１折返し部４４とを有する第１ケース部材４１と、前記収容スペースの他方の面を形成する第２主面部４８と、前記第２主面部４８の縁部を前記収容スペース側に折曲して形成された第２折曲部４９と、前記第２折曲部４９の先端部を前記第２折曲部４９の内面側に前記第２主面部４８の方向に向けて折返して形成された第２折返し部５０とを有する第２ケース部材４７と、前記第１ケース部材４１の第１主面部４２と前記第２ケース部材４７の第２主面部４８との何れか一方、例えば前記第１ケース部材４１の第１主面部４２に設けられた照明用開口４６とからなっている。
【００８５】
前記第１ケース部材４１と前記第２ケース部材４７はそれぞれ、アルミニウム板等の金属板のプレス成形品からなっており、前記第１ケース部材４１の第１折曲部４３及び前記第２ケース部材４７の第２折曲部４９はそれぞれ、前記第１主面部４２の縁部及び前記第２主面部４８の縁部を略直角に折曲して形成され、前記第１折返し部４４及び前記第２折返し部５０はそれぞれ、前記第１折曲部４３の先端部及び第２折曲部４９の先端部を前記第１折曲部４３及び第２折曲部４９と略平行に折返して形成されている。
【００８６】
また、前記第１ケース部材４１の第１主面部４２と前記第２ケース部材４７の第２主面部４８はそれぞれ前記枠部材３９の外形に対応する四角形状（この実施例では矩形形状）に形成され、前記第１ケース部材４１の第１折曲部４３及び第１折返し部４４と、前記第２ケース部材４７の第２折曲部４９及び第２折返し部５０は、前記第１主面部４２及び前記第２主面部４８の各縁部のうちの少なくとも前記主面部４２，４８を挟んで対向する二つの縁部に対応させて形成されている。
【００８７】
なお、前記第１ケース部材４１の第１主面部４２は、前記枠部材３９の外形よりも僅かに大きい矩形形状に形成され、前記第２ケース部材４７の第２主面部４８は、前記第１ケース部材４１の第１主面部４２の外形よりも、前記金属板の板厚の２倍程度大きい矩形形状に形成されている。
【００８８】
また、前記第２ケース部材４７の第２折曲部４９は、前記第１ケース部材４１の第１折曲部４３の高さよりも大きい高さに形成されており、前記第１ケース部材４１の第１折返し部４４は、前記第１折曲部４３の高さよりも小さい高さに形成され、前記第２ケース部材４７の第２折返し部５０は、前記第２折曲部４９の高さよりも小さい高さに形成されている。
【００８９】
そして、前記第１ケース部材４１の第１折曲部４３と前記第２ケース部材４７の第２折曲部４９はそれぞれ、前記第１主面部４２及び前記第２主面部４８の少なくとも前記二つの縁部の略全長にわたって形成され、前記第１折返し部４４及び前記第２折返し部５０と前記第１折曲部４３及び前記第２折曲部４９とは、前記第１ケース部材４１及び前記第２ケース部材４７の長手方向（前記第１ケース部材４１及び前記第２ケース部材４７のうち、後述の第１切欠部４５及び第２切欠部５１がそれぞれ設けられた側の端面からそれに対向する端面にかけて配置された一対の端面と前記第１主面部４２及び前記第２主面部４８とに平行な方向）に沿わせて形成されている。
【００９０】
この実施例において、前記第１ケース部材４１の第１折曲部４３は、前記第１主面部４２の略全周の縁部に形成されており、そのうちの前記第１主面部４２の長手方向の一端側の縁部に形成された第１折曲部４３の一部分に、前記枠部材３９の上面側から枠部材３９外に引出された前記リード配線フィルム１８をケース４０外に引出すための第１切欠部４５が形成されている。
【００９１】
また、前記第２ケース部材４７の第２折曲部４９は、前記第２主面部４８の全周の縁部に形成されており、そのうちの前記第２主面部４８の長手方向の一端側の縁部に形成された第２折曲部４９に、前記リード配線フィルム１８と、前記液晶表示パネル１のドライバ搭載部３ａに接続された配線フィルム９（図３参照）とをケース４０外に引出すための第２切欠部５１が、前記第２折曲部４９の略中間高さと基部との間の位置よりも先端側の部分を切欠して形成されている。
【００９２】
そして、この実施例では、前記第１ケース部材４１の第１主面部４２の各縁部のうちの前記矩形形状の長手方向に沿った二つの縁部に形成された第１折曲部４３にそれぞれ、その両端部を除く領域の全長にわたって前記第１折返し部４４を形成し、前記第２ケース部材４７の第２主面部４８の各縁部のうちの前記矩形形状の長手方向に沿った二つの縁部に形成された第２折曲部４９にそれぞれ、その両端部を除く領域の全長にわたって前記第２折返し部５０を形成している。
【００９３】
前記第１ケース部材４１の第１主面部４２の内面から第１折曲部４３の先端までの高さは、前記枠部材３９の高さよりも僅かに小さく設定され、前記第１折返し部４４は、前記第１折曲部４３の高さの２／３〜３／４程度の高さに形成されており、前記第２ケース部材４７の第２主面部４８の内面から第２折曲部４９の先端までの高さは、前記枠部材３９の高さよりも大きく、且つ、前記枠部材３９の高さと前記第１ケース部材４１の第１主面部４２の厚さと前記液晶表示パネル１のうち裏面側偏光板７を除いた厚さとを加算した値よりも若干小さく設定され、前記第２折返し部５０は、前記第２折曲部４９の高さの１／２程度の高さに形成されている。
【００９４】
さらに、前記第１ケース部材４１の第１折返し部４４は、前記第２ケース部材４７の第２主面部４８の内面と前記第２折返し部５０の先端面との間に入り込む高さに形成されている。この場合、第２折曲部４９の高さは前記第１折返し部４４及び前記第２折返し部５０の高さの合計と同じ程度の高さに形成されている。
【００９５】
この第２実施例の表示装置は、前記第１ケース部材４１の第１主面部４２と前記第２ケース部材４７の第２主面部４８との間に、前記枠部材３９に支持された面光源１１を、この面光源１１の光出射面を前記第１ケース部材４１の第１主面部４２に設けられた照明用開口４６に対向させて配置し、前記第１ケース部材４１と前記第２ケース部材４７とを、前記第１折曲部４３及び前記第１折返し部４４の外側に前記第２折曲部４９を嵌合し、前記第１折返し部４４の先端面と前記第２折返し部５０の先端面とを突合わせて組合わせることにより前記ケース４０を組立て、さらに、前記第１ケース部材４１の第１主面部４２の外面上に、前記液晶表示パネル１を、その画面エリア１ａ（図３参照）を前記第１主面部４２に設けられた照明用開口４６に対向させて配置することにより構成されている。なお、この実施例において、前記面光源１１を支持した枠部材３９は、前記第１ケース部材４１の第１主面部４２の内面に両面粘着テープ５３により貼付けられるとともに、前記ケース４０の組立てにより、前記第１ケース部材４１の第１主面部４２と前記第２ケース部材４４の第１主面部４８との間に挟持されてケース４０内に固定され、また、前記液晶表示パネル１は、前記第１ケース部材４１の第１主面部４２の外面上に両面粘着テープ５４により貼付けられて固定されている。
【００９６】
この表示装置の製造において、前記第１ケース部材４１と第２ケース部材４７の組合せは、前記第１ケース部材４１内に、前記面光源１１を支持した枠部材３９を、前記第１ケース部材４１の第１主面部４２の内面に前記両面粘着テープ５３により貼付けて配置した後に、前記第２ケース部材４７の第２折曲部４９からその内面側に折返された第２折返し部５０の基部を前記第１ケース部材４１の第１折曲部４３からその外面側に折返された第１折返し部４４の基部に当接させて、前記第２ケース部材４７を前記第１ケース部材４１の方向に押付けることにより行う。
【００９７】
前記第１ケース部材４１と第２ケース部材４７の組合せは、上記第１実施例における第１ケース部材２８と第２ケース部材３３の組合せと実質的に同じであり、前記第２ケース部材４７の第２折返し部５０の基部を前記第１ケース部材４１の第１折返し部４４の基部に当接させた状態で前記第２ケース部材４７を前記第１ケース部材４１の方向に押付けると、前記第１折曲部４３の外面側に折返された第１折返し部４４の外側に、前記第２折曲部４９の内面側に折返された第２折返し部５０が滑り込み、前記第２折曲部４９が、前記第１折曲部４３をその先端に向かって内面方向に傾くように弾性変形させると同時に、前記第１折曲部４３からの弾性反発力により前記第２折曲部４９がその先端に向かって外面方向に傾くように弾性変形されて、前記第２折曲部４９が前記第１折曲部３０及び第１折返し部３１の外側に嵌合して行く。
【００９８】
そして、前記第２ケース部材４７の第２主面部４８が前記枠部材３９に当接し、前記第１ケース部材４１の第１主面部４２と前記第２ケース部材４７の第２主面部４８とが、それぞれの縁部近くの部分を前記枠部材３９により内面側から支持された後は、前記第２ケース部材４７の第２主面部４８の周縁部を前記第１ケース部材４１の方向にさらに押付けるか、或いは、前記第１ケース部材４１の第１主面部４２の周縁部を前記第２ケース部材４７の方向に押付けることにより、前記第１主面部４２と前記第２主面部４８の少なくとも一方の前記枠部材３９に支持された部分よりも外側の縁部を、前記第２折返し部５０の先端が前記第１折返し部４４の先端を通り越すまで弾性変形させ、その後に前記押付けを解除する。
【００９９】
このように、前記第１主面部４２と前記第２主面部４８の少なくとも一方の縁部を弾性変形させると、前記第２折返し部５０の先端が前記第１折返し部４４の先端を通り越した時点で、前記第１折曲部４３及び前記第２折曲部４９が弾性復帰して前記第２折返し部５０が前記第２折返し部４４の上側に入り込み、前記第１折返し部４４の先端面と前記第２折返し部５０の先端面とが図７のように突合わされると共に、その突合せ状態が、前記主面部４２，４８の弾性復帰力によって保持される。
【０１００】
なお、前記枠部材３９は、前記第１ケース部材４１と前記第２ケース部材４７とを前記枠部材３９を収容せずに組み合わせて前記第１折返し部４４の先端面と前記第２折返し部５０の先端面とを突合わせたときの前記第１主面部４２と前記第２主面部４８の内面間の間隔よりも極く僅かに（０．２〜０．５ｍｍ程度）大きい高さを有しており、従って、前記第１ケース部材４１の第１主面部４２及び前記第２ケース部材４７の第２主面部４８の縁部近くの部分を前記枠部材３９により内面側から支持させた後に、前記第１主面部４２と前記第２主面部４８の少なくとも一方の縁部を、極く僅かな押付け力で前記第２折返し部５０の先端が前記第１折返し部４４の先端を通り越すまで弾性変形させ、前記第１折返し部４４の先端面と前記第２折返し部５０の先端面とを突合わせることができる。
【０１０１】
そして、この実施例では、前記第２ケース部材４７の第２折曲部４９を、前記第１ケース部材４１の第１折曲部４３の高さよりも大きい高さに形成しているため、前記第１ケース部材４１と前記第２ケース部材４７は、前記第２折曲部４９の先端側及び前記第２折返し部５０の基部側の部分を前記第１ケース部材４１の第１主面部４２の外面方向に突出させ、前記第１主面部４２の側縁部と前記第２ケース部材４７の第２主面部４８の側縁部との間に、前記第１折曲部４３及び前記第１折返し部４４と前記第２折曲部４９の前記第２折返し部５０の先端よりも前記第２主面部４８側の部分とからなる三枚板構造の側面部を形成して組合わされる。
【０１０２】
さらに、この実施例では、前記照明用開口４６を前記第１ケース部材４１の第１主面部４２に設け、前記第２ケース部材４７の第２折曲部４９を、前記第１ケース部材４１の第１折曲部４３の高さよりも大きい高さに形成しているため、前記第１ケース部材４１と前記第２ケース部材４７は、前記第２折曲部４９の先端側及び前記第２折返し部５０の基部側の部分を前記第１ケース部材４１の第１主面部４２の外面方向に突出させて組合わされ、その突出部により、前記第１主面部４２の外面上に配置される前記液晶表示パネル１を側方から保護するガード部５２が形成される。
【０１０３】
そして、前記第１ケース部材４１と前記第２ケース部材４７とを組合わせてケース４０を組立てた後は、前記第１ケース部材４１の第１主面部４２の外面上に、前記液晶表示パネル１を、裏面側の面を前記第１主面部４２に向けると共に、画面エリア１ａを前記照明用開口４６と対向させて配置し、前記裏面側の面の前記画面エリア１ａよりも外側の周縁部を前記両面粘着テープ５４により貼付けて表示装置を完成する。
【０１０４】
前記ケース４０は、前記第１ケース部材４１と前記第２ケース部材４７とを、前記第１折曲部４３及び第１折返し部４４の外側に前記第２折曲部４９を嵌合し、前記第１折返し部４４の先端面と前記第２折返し部５０の先端面とを突合わせて組合わせることにより組立てられるため、ネジによる締結を行うことなく、前記第２ケース部材４７の第２折返し部５０の基部を前記第１ケース部材４１の第１折返し部４４の基部に当接させて前記第２ケース部材４７を前記第１ケース部材４１の方向に押付けるだけの作業で簡単に組立てることができる。
【０１０５】
そして、前記ケース４０は、前記第１ケース部材４１の第１折曲部４３と前記第２ケース部材４７の第２折曲部４９をそれぞれ、前記第１主面部４２及び前記第２主面部４８の少なくとも二つの縁部の略全長にわたって形成し、前記第１折返し部４４と前記第２折返し部５０を、前記第１ケース部材４１及び前記第２ケース部材４７の長手方向に沿わせて形成しているため、前記第１折返し部４４の先端面と前記第２折返し部５０の先端面との突合わせ部の長さを充分に確保し、前記第１ケース部材４１と第２ケース部材４７との組合わせ状態を確実に保持することができる。
【０１０６】
また、上記実施例では、前記第１ケース部材４１の第１折曲部４３を前記第１主面部４２の略全周の縁部に形成すると共に、前記第２ケース部材４７の第２折曲部４９を、前記第２主面部４８の全周の縁部に形成し、前記第１切欠部４５と前記第２切欠部５１とにより形成される配線フィルム引出し口以外の側面部を全周にわたって閉塞しているため、前記第１ケース部材４１と第２ケース部材４７とを組合わせて構成されたケース４０にゴミ等の異物が入り込むことを抑制することができる。
【０１０７】
さらに、前記第１ケース部材４１と第２ケース部材４７は、前記第１ケース部材４１の第１主面部４２の側縁部と前記第２ケース部材４７の第２主面部４８の側縁部との間に、前記第１折曲部４３及び前記第１折返し部４４と前記第２折曲部４９の前記第２折返し部５０の先端よりも前記第２主面部４８側の部分とからなる三枚板構造の側面部を形成して組合わされるため、前記ケース４０の長手方向に沿った二つの側面部に、高さ方向及び側面方向からの荷重や衝撃に対して充分な強度をもたせることができる。
【０１０８】
また、この第２実施例の表示装置は、その構成部品である液晶表示パネル１と面光源１１とのうちの前記面光源１１を、ネジによる締結を行うことなく簡単に組立てることができる前記ケース４０内に収容し、このケース４０の前記第１ケース部材４１の第１主面部４２の外面に前記液晶表示パネル１を配置したものであるため、低コストに、しかも容易に製造することができる。
【０１０９】
しかも、上記表示装置は、前記照明用開口４６を前記第１ケース部材４１の第１主面部４２に設け、前記第２ケース部材４７の第２折曲部４９を、前記第１ケース部材４１の第１折曲部４３の高さよりも大きい高さに形成することにより、前記第１ケース部材４１と前記第２ケース部材４７とを、前記第２折曲部４９の先端側及び前記第２折返し部５０の基部側の部分を前記第１ケース部材４１の第１主面部４２の外面方向に突出させて組合わせているため、その突出部からなる前記ガード部５２により、前記第１主面部４２の外面上に配置された前記液晶表示パネル１を側方から保護することができる。
【０１１０】
なお、前記ガード部５２は、必ずしも必要ではなく、このガード部５２を省略する場合は、前記第２ケース部材４７の第２折曲部４９を前記第１ケース部材４１の第１折曲部４３の高さと略同じ高さに形成すると共に、前記第１ケース部材４１の第１折返し部４４と前記第２ケース部材４７の第２折返し部５０とをそれぞれ前記第１折曲部４３及び第２折曲部４９の高さよりも小さい高さに形成し、前記第１ケース部材４１と前記第２ケース部材４７とを、前記第１ケース部材４１の第１主面部４２の側縁部と前記第２ケース部材４７の第２主面部４８の側縁部との間に、前記第１折曲部４３の前記第１折返し部４４の先端よりも前記第１主面部４２側の部分と前記第２折曲部４９の先端側の部分及び前記第２折返し部５０とからなる三枚板構造の領域と、前記第１折曲部４３の先端側の部分及び前記第１折返し部４４と前記第２折曲部４９の前記第２折返し部５０の先端よりも前記第２主面部４８側の部分とからなる三枚板構造の領域とを有する側面部を形成して組合わせてもよい。
【０１１１】
また、上記第２実施例の表示装置では、前記第１ケース部材４１の第２主面部４２に照明用開口４６を設けているが、それと逆に、前記第２ケース部材４７の第２主面部４８に前記照明用開口４６を設け、前記面光源１１を支持させた枠部材３９を、前記第１ケース部材４１と前記第２ケース部材４７とを組合わせたケース４０内に、前記面光源１１の光出射面を前記第２ケース部材４７の第２主面部４８に設けられた前記照明用開口４６に対向させて配置し、前記第２ケース部材４７の第１主面部４８の外面上に前記液晶表示パネル１を配置してもよい。
【０１１２】
［第３実施例］
図８〜図１０に示した第３実施例の表示装置は、液晶表示パネル１と、面光源１１と、前記液晶表示パネル１と面光源１１とを収容するケース４０ａとを備えたものである。なお、この第３実施例において、上記第２実施例に対応するものには図に同符号を付し、同一のものについてはその説明を省略する。
【０１１３】
この第３実施例において、前記ケース４０ａは、面光源収容スペースを形成するための第１ケース部材４１と第２ケース部材４７とを備え、さらに、前記第１ケース部材４１の第１主面部４２の外面側に第２収容スペースを形成するための第３ケース部材５５を備えている。
【０１１４】
これらのケース部材４１，４７，５５のうちの第１ケース部材４１は、上記第２実施例の第１ケース部材と同じものであり、この第１ケース部材４１の第１主面部４２に、照明用開口４６が設けられている。
【０１１５】
また、前記第２ケース部材４７は、上記第２実施例の第２ケース部材と実質的に同じで、さらに、その第２主面部４８の長手方向に沿った二つの縁部に形成された第２折曲部４９の両端部、つまり前記第２折曲部４９の先端部を前記第２折曲部４９の内面側に折返して形成された第２折返し部５０の長手方向の両端側の部分に、前記第２折曲部４３の先端部を前記第２折曲部４３の外面側に前記第２主面部の方向に向けて第２折曲部４９と略平行に折返して形成された逆折返し部５０ａが設けられた形状に形成されている。
【０１１６】
一方、前記第１ケース部材４１の第１主面部４２の外面側に前記第２収容スペース、つまり表示パネル収容スペースを形成するための第３ケース部材５５は、前記第１ケース部材４１及び第２ケース部材４７と同様に、アルミニウム板等の金属板のプレス成形品からなっており、前記表示パネル収容スペースの前記第１ケース部材４１側とは反対側の面を形成する第３主面部５６と、前記第３主面部５６の縁部を前記表示パネル収容スペース側に略直角に折曲して形成された第３折曲部５７と、前記第３折曲部５７の先端部を前記第３折曲部５７の内面側に前記第３主面部５６の方向に向けて第２折曲部４９と略平行に折返して形成された第３折返し部５８とを有し、前記第３主面部５６に前記液晶表示パネル１の画面エリア１ａ（図３参照）に対応する表示用開口６０が設けられた形状に形成されている。
【０１１７】
この第３ケース部材５５の第３主面部５６は、前記第２ケース部材４７の第２主面部４８の外形よりも、前記金属板の板厚の２倍程度大きい矩形形状に形成されており、前記第３折曲部５７は、前記第２ケース部材４７の第２折曲部４９の高さと略同じ高さに形成されている。なお、前記第１ケース部材４１の第１折曲部４３の高さと、前記第２ケース部材４７の第２折曲部４９の高さは、上記第２実施例と同じである。
【０１１８】
この実施例において、前記第３ケース部材５５の第３折曲部５７は、前記第３主面部５６の長手方向の一端側の前記第２ケース部材に設けられた第２切欠部５１と対応する部分を除く略全周の縁部に形成されており、前記第２切欠部５１と対応する部分には、前記液晶表示パネル１のドライバ搭載部３ａに接続された配線フィルム９及び前記面光源１１の配線基板１７に接続されたリード配線フィルム１８（図３参照）をケース４０ａ外に引出すための第３切欠部５９が形成されている。
【０１１９】
なお、前記第２ケース部材に設けられた第２切欠部５１と、前記第３ケース部材５５に設けられた第３切欠部５９は、前記第２ケース部材４７と前記第３ケース部材５５との組合わせによって互いに重なり合い、１つの配線フィルム引出し口を形成する。
【０１２０】
そして、前記第３ケース部材５５の第３折返し部５８は、前記第３主面部５６の長手方向に沿った二つの縁部にそれぞれ形成された第３折曲部５７に、その略全長にわたってそれぞれ形成されている。
【０１２１】
また、前記第２ケース部材４７の逆折返し部５０ａは、前記第２折曲部４９の高さよりも小さい高さに形成され、前記第３ケース部材５５の折返し部５８は、前記第３折曲部５７の高さよりも小さい高さに形成されており、さらに、前記第２ケース部材４７の前記逆折返し部５０ａは、前記第３ケース部材５５の第３主面部５６の内面と前記第３折返し部５８の先端面との間に入り込む高さに形成されている。
【０１２２】
この第３実施例の表示装置は、前記第１ケース部材４１の第１主面部４２と前記第２ケース部材４７の第２主面部４８との間の第１収容スペースに、前記枠部材３９に支持された面光源１１を、その光出射面を前記第１ケース部材４１の第１主面部４２に設けられた照明用開口４６に対向させて配置し、前記第１ケース部材４１と前記第２ケース部材４７とを上記第２実施例と同様に組合わせると共に、前記第１ケース部材４１の第１主面部４２と前記第３ケース部材５５の第３主面部５６との間の第２収容スペースに前記液晶表示パネル１を、その画面エリア１ａを前記照明用開口４６に対向させて配置し、さらに前記第３ケース部材５５を、その第３主面部５６に設けられた表示用開口６０を前記液晶表示パネル１の画面エリア１ａに対向させて配置し、この第３ケース部材５５を、前記第２ケース部材４７の第２折曲部４９及び逆折返し部５０ａの外側に前記第３折曲部５７を嵌合し、前記逆折返し部５０ａの先端面と前記第３折返し部５８の先端面とを突合わせて組合わせて前記ケース４０ａを組立てることにより構成されている。
【０１２３】
なお、前記第３ケース部材５５の第３折曲部５７の高さと第３折返し部５８の高さは、前記第２ケース部材４７の第２折曲部４９及び逆折返し部５０ａの外側への前記第３折曲部５７の嵌合にともなって前記第３折返し部５８の先端が前記逆折返し部５０ａの先端近くまできたときに、前記第３ケース部材５５の第３主面部５６の内面が前記液晶表示パネル１の観察側の面（観察側偏光板６の観察側の外面）に当接し、さらに前記逆折返し部５０ａの先端面と前記第３折返し部５８の先端面とを突合わせたときに、前記第３ケース部材５５の第３主面部５６が前記液晶表示パネル１の観察側の面に適度な接触圧で密接するように設定されている。
【０１２４】
この表示装置の製造において、前記第２ケース部材４７と第３ケース部材５５の組合せは、前記第１ケース部材４１と前記第２ケース部材４７とを組合わせ、前記第１ケース部材４１の第１主面部４２の外面上に、前記液晶表示パネル１を両面粘着テープ５３により貼付けて配置した後に、前記第３ケース部材５５の第３折曲部５７からその内面側に折返された第３折返し部５８の基部を前記第２ケース部材４７の第２折曲部４９からその外面側に折返された逆折返し部５０ａの基部に当接させて、前記第３ケース部材５５を前記第２ケース部材４７の方向に押付けることにより行う。
【０１２５】
前記第２ケース部材４７と第３ケース部材５５の組合せは、上記第１実施例における第１ケース部材２８と第２ケース部材３３の組合せと実質的に同じであり、前記第３ケース部材５５の第３折返し部５８の基部を前記第２ケース部材４７の逆折返し部５０ａの基部に当接させた状態で前記第３ケース部材５５を前記第２ケース部材４７の方向に押付けると、前記第２折曲部４９の外面側に折返された逆折返し部５０ａの外側に、前記第３折曲部５７の内面側に折返された第３折返し部５８が滑り込み、前記第３折曲部５７が、前記第２折曲部４９をその先端に向かって内面方向に傾くように弾性変形させると同時に、前記第２折曲部４９からの弾性反発力により前記第３折曲部５７がその先端に向かって外面方向に傾くように弾性変形されて、前記第３折曲部５７が前記第２折曲部４９及び逆折返し部５０ａの外側に嵌合して行く。
【０１２６】
そして、前記第３折返し部５８の先端が前記逆折返し部５０ａの先端近くまでくると、前記第３ケース部材５５の第３主面部５６が前記液晶表示パネル１の観察側の面に当接し、前記第３主面部５６の縁部近くの部分が前記液晶表示パネル１を介して前記第１ケース部材４１の第１主面部４２に支持される。
【０１２７】
この後は、前記第３ケース部材５５の第３主面部５６の周縁部を前記第２ケース部材４７の方向にさらに押付けるか、或いは、前記第２ケース部材４７の第２主面部４８の周縁部を前記第３ケース部材５５の方向に押付けることにより、前記第２主面部４８と前記第３主面部５６の少なくとも一方の前記枠部材３９または前記液晶表示パネル１に支持された部分よりも外側の縁部を、前記第３折返し部５８の先端が前記逆折返し部５０ａの先端を通り越すまで弾性変形させ、その後に前記押付けを解除する。
【０１２８】
このように、前記第２主面部４８と前記第３主面部５６の少なくとも一方の縁部を弾性変形させると、前記第３折返し部５８の先端が前記逆折返し部５０ａの先端を通り越した時点で、前記第２折曲部４９及び前記第３折曲部５７が弾性復帰して前記第３折返し部５８が前記逆折返し部５０ａの下側に入り込み、前記逆折返し部５０ａの先端面と前記第３折返し部５８の先端面とが図９及び図１０のように突合わされると共に、その突合せ状態が、前記主面部４８，５６の弾性復帰力によって保持される。
【０１２９】
そして、この実施例では、前記第２ケース部材４７の第２折曲部４９を、前記第１ケース部材４１の第１折曲部４３の高さよりも大きい高さに形成し、前記第３ケース部材５５の第３折曲部５７を、前記第２ケース部材４７の第２折曲部４９の高さと略同じ高さに形成しているため、前記第１ケース部材４１と前記第２ケース部材４７と前記第３ケース部材５５は、前記第１ケース部材４１の第１主面部４２の側縁部と前記第３ケース部材５５の第３主面部５６の側縁部との間に、前記第１折曲部４３の先端側の部分及び前記第１折返し部４４と前記第２折曲部４９の前記第２折返し部５０及び前記逆折返し部５０ａの先端よりも前記第２主面部４８側の部分と前記第３折曲部５７の先端側の部分及び前記第３折返し部５８とからなる五枚板構造の領域と、前記第２折曲部４９の先端側の部分及び前記第２折返し部５０または前記逆折曲部５０ａと前記第３折曲部５７の前記第３折返し部５８の先端よりも前記第３主面部５６側の部分とからなる三枚板構造の領域とを有する側面部を形成して組合わされる。
【０１３０】
前記ケース４０ａは、前記第１ケース部材４１と前記第２ケース部材４７とを、前記第１折曲部４３及び第１折返し部４４の外側に前記第２折曲部４９を嵌合し、前記第１折返し部４４の先端面と前記第２折返し部５０の先端面とを突合わせて組合わせると共に、前記第２ケース部材４７と前記第３ケース部材５５とを、前記第２折曲部４９及び逆折返し部５０ａの外側に前記第３折曲部５７を嵌合し、前記逆折返し部５０ａの先端面と前記第３折返し部５８の先端面とを突合わせて組合わせることにより組立てられるため、ネジによる締結を行うことなく、前記第２ケース部材４７の第２折返し部５０の基部を前記第１ケース部材４１の第１折返し部４４の基部に当接させて前記第２ケース部材４７を前記第１ケース部材４１の方向に押付け、さらに前記第３ケース部材５５の第３折返し部５８の基部を前記第２ケース部材４７の逆折返し部５０ａの基部に当接させて前記第３ケース部材５５を前記第１ケース部材４７の方向に押付けるだけの作業で簡単に組立てることができる。
【０１３１】
また、前記第１ケース部材４１と前記第２ケース部材４７と前記第３ケース部材５５は、前記第１ケース部材４１の第１主面部４２の側縁部と前記第３ケース部材５５の第３主面部５６の側縁部との間に、前記第１折曲部４３の先端側の部分及び前記第１折返し部４４と前記第２折曲部４９の前記第２折返し部５０及び前記逆折返し部５０ａの先端よりも前記第２主面部４８側の部分と前記第３折曲部５７の先端側の部分及び前記第３折返し部５８とからなる五枚板構造の領域と、前記第２折曲部４９の先端側の部分及び前記第２折返し部５０または前記逆折曲部５０ａと前記第３折曲部５７の前記第３折返し部５８の先端よりも前記第３主面部５６側の部分とからなる三枚板構造の領域とを有する側面部を形成して組合わされるため、前記ケース４０ａの長手方向に沿った二つの側面部に、高さ方向及び側面方向からの荷重や衝撃に対して充分な強度をもたせることができる。
【０１３２】
そして、この第３実施例の表示装置は、その構成部品である液晶表示パネル１と面光源１１とを、ネジによる締結を行うことなく簡単に組立てることができる前記ケース４０ａ内に収容したものであるため、低コストに、しかも容易に製造することができる。
【０１３３】
［他の実施例］
なお、上記第１〜第３実施例の表示装置は、液晶表示パネル１と面光源１１とをケース２７，４０，４０ａ内に収容したものであるが、この発明は、例えば有機ＥＬ（エレクトロルミネッセンス）表示パネル等の自発光型表示パネルをケース内に収容した表示装置にも適用することができる。
【０１３４】
また、この発明のケースは、表示装置に限らず、表示装置以外の装置や機器等を構成する電子部品や光学部品等の部品を収容するケースにも適用することができる。
【符号の説明】
【０１３５】
１…液晶表示パネル、１ａ…画面エリア、１１…面光源、２４，３９…枠部材、２７，４０，４０ａ…ケース、２８，４１…第１ケース部材、２９，４２…第１主面部、３０，４３…第１折曲部、３１，４４…第１折返し部、３３，４７…第２ケース部材、３４，４８…第２主面部、３５，４９…第２折曲部、３６，５０…第１折返し部、５０ａ…逆折返し部、５５…第３ケース部材、５６…第３主面部、５７…第３折曲部、５８…第３折返し部、３８，６０…表示用開口、４６…照明用開口、５２…ガード部
【図１】
2011017856.tif 000003
【図２】
2011017856.tif 000004
【図３】
2011017856.tif 000005
【図４】
2011017856.tif 000006
【図５】
2011017856.tif 000007
【図６】
2011017856.tif 000008
【図７】
2011017856.tif 000009
【図８】
2011017856.tif 000010
【図９】
2011017856.tif 000011
【図１０】
2011017856.tif 000012